(57)【特許請求の範囲】
【請求項１】
薬剤が収納された複数の収納室、及び前記各収納室間を開封可能に仕切る直線状の仕切り用封止部を備えた容器本体と、
前記容器本体に取り付けられ前記収納室から薬剤を排出する開口を有する薬剤排出部と、
を備え、
前記容器本体は、前記仕切り用封止部を折り目として折り畳まれており、
前記容器本体は、解除可能に折り畳み状態を保持する第１固着部を有し、当該第１固着部による前記折り畳み状態が解除されると同時もしくはその直後に前記仕切り用封止部が剥離され、
前記第１固着部は、折り畳まれた前記容器本体の側縁部の中央に形成され、
前記容器本体は、第２固着部をさらに有し、
前記仕切り用封止部は、２枚のフィルムを重ねた後、前記２枚のフィルムの内壁面同士を融着することで形成され、
前記第２固着部は、前記２枚のフィルムのうち、一方のフィルムの前記収容室を構成する範囲の上面同士を前記仕切り用封止部に連続するように融着することで形成される医療用複室容器。
【請求項２】
前記固着部により保持された折り畳み状態の解除に要する力が、３０〜１２０Ｎである、請求項１に記載の医療用複室容器。
【請求項３】
薬剤が収納された複数の収納室、前記各収納室間を開封可能に仕切り２枚のフィルムを重ねた後、前記２枚のフィルムの内壁面同士を融着することで形成される直線状の仕切り用封止部、及び前記２枚のフィルムのうち、一方のフィルムの前記収容室を構成する範囲の上面同士を前記仕切り用封止部に連続するように融着することで形成される第２固着部を備えた容器本体と、前記容器本体に取り付けられ前記収納室から薬剤を排出する開口を有する薬剤排出部とを備えている医療用複室容器を作製する工程と、
前記容器本体を前記仕切り用封止部を折り目として折り畳み、折り畳み状態を解除可能に保持する第１固着部を折り畳まれた前記容器本体の側縁部の中央に作製する工程と、
前記固着部による前記折り畳み状態を解除すると同時、もしくはその直後に前記仕切り用封止部を剥離させる工程と、
を備えている、医療用複室容器の使用方法。
【発明の詳細な説明】
【技術分野】
【０００１】
本発明は、同時に配合すると経時変化を起こすような不安定な各種薬剤（液剤、粉末若しくは固形剤）を個別に収納する複数の収納室を備えた医療用複室容器及びその使用方法に関する。
【背景技術】
【０００２】
静脈注射により患者に投与される薬剤や、眼灌流液、腹膜透析液などの薬剤の中には、予め配合すると望ましくない経時的変化を起こすような不安定な薬剤がある。例えばアミノ酸輸液とブドウ糖輸液とを配合して保存しておくと、いわゆるメイラード反応によって混合液が褐変する。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤に対しては、次のような医療用複室容器が用いられることが多い。この医療用複室容器は、薬剤を収納する２つの収納室を備えたプラスチックフィルム製の容器本体と、この容器本体から薬剤を排出する薬剤排出部とを備えている。そして、２つの収納室は、容器本体の内壁面同士を熱融着した仕切り用封止部によって仕切られている。使用に際しては、いずれかの収納室の中央付近を押圧し、収納室内の圧力を高めて仕切り用封止部を開封する。これによって両収納室が連通し、２つの薬剤が混合される。その後、薬剤排出部を刺入等によって開封し、混合後の薬剤を患者に投与する。
【０００４】
ところで、上記のような複室容器では、仕切り用封止部の開封前に、排出部を開封すると、混合前の薬剤が排出されるという問題があった。これを解決するため、例えば特許文献１では、薬剤排出部と、これと隣接する収納室との間に、排出規制用の封止部を設けた医療用容器が提案されている。この排出規制用封止部は、仕切り用封止部と同様に、容器本体の内壁面同士を熱融着することで形成したものである。このような排出規制用封止部を設けると、仕切り用封止部の開封前に、薬剤排出部を開封しても、排出規制用封止部によって収納室から薬剤が排出されるのを防止することができる。また特許文献２では、仕切り用シール封止部が上部に頂点を持つ山形を形成し、かつ略中央で折り畳んだ際に、その内面同士が仕切り用シール封止部の山形の頂点に相当する位置で
スポット状の接着層を形成する複室容器が提案されている。このスポット状の接着層を剥離しようとすると、該接着層から剥がれる前に仕切り用封止部の山形状の頂点を起点とし、この頂点から剥離しはじめその裾野まで剥離し、よって改めて仕切り用封止部を剥離して開通しなくても２液が混合される仕組みである。
【先行技術文献】
【特許文献】
【０００５】
【特許文献１】特開平９−３２７４９８号公報
【特許文献２】特開２００５−４０４１５号公報
【発明の概要】
【発明が解決しようとする課題】
【０００６】
しかしながら、上記特許文献１に記載の医療用複室容器は、次のような問題を有しているため、広く普及するには至っていない。すなわち、使用に際しては仕切り用封止部と排出規制用封止部の２つの封止部を開封しなくてはならない。また、容器本体における排出部の近傍は、フィルムが盛り上がって扁平にはなっていない。そのため、排出規制用封止部を熱融着によって形成する場合、シワやピンホールが生じやすく、製造が難しいという問題があった。また特許文献２の複室容器では、仕切り用封止部が山形であるため２つ折りしづらかったり、仕切り用封止部の剥離強度を上げないように接着部は接着剤やテープでしか形成することが出来ない問題があった。
【０００７】
本発明は、上記問題を解決するためになされたものであり、混合前の薬剤が排出されるのを防止することができ、使用に際しての作業を簡素化することができる医療用複室容器及びその使用方法を提供することを目的とする。
【課題を解決するための手段】
【０００８】
本発明に係る医療用複室容器は、薬剤が収納された複数の収納室、及び前記各収納室間を開封可能に仕切る直線状の仕切り用封止部を備えた容器本体と、前記容器本体に取り付けられ前記収納室から薬剤を排出する開口を有する薬剤排出部と、を備え、前記容器本体は、前記仕切り用封止部を折り目として折り畳まれており、解除可能に折り畳み状態を保持する固着部を有し、当該固着部による前記折り畳み状態が解除されると同時もしくはその直後に前記仕切り用封止部が剥離される。
【０００９】
上記医療用複室容器は、例えば、次のように使用される。まず、折り畳んだ容器本体において、折り目となる仕切り用封止部を挟む両収納室の周縁部を手で把持する。そして、折り畳んだ容器本体を広げるように両周縁部を引っ張り、固着された部分を取り外す。このとき、容器本体が広がる勢いで、容器本体を構成するフィルムが上下方向に引き伸ばされ、かつ、収納室内の薬剤は、容器本体を内側から押圧する。その結果、容器本体の対向する内壁面が離間し、仕切り用封止部が、開封する。
【００１０】
以上のような動作を行うことにより、次の利点がある。すなわち、使用前に容器本体は折り畳まれているため、医療従事者は、この状態で薬剤排出部を開封することはない。したがって、まず、折り畳まれた容器本体を広げるという動作を行い、その後、薬剤排出部を開封して薬液を排出する。そして、容器本体が広げられたときには、上記のように、仕切り用封止部が開封しているため、薬剤排出部を開封する際には、薬剤は混合された状態となっている。したがって、混合前の薬剤が排出されるのを確実に防止することができる。また、薬剤排出部を開封するまでには、１つの動作、つまり容器本体を広げるという動作のみ行えばよい。よって、薬剤排出部から薬剤を排出する前に複数の工程を要する従来例と比べ、作業を簡素化することができる。さらに、この医療用複室容器は、仕切り用封止部を折り目にして折り畳んでいるため、この状態では、収納室が押圧されても、仕切り用封止部に力が作用しにくい。したがって、運送中に、この容器に不意に外力が作用した場合であっても、仕切り用封止部が開封するのを防止することができる。
【００１１】
容器本体において、固着部は、特には限定されないが、例えば、仕切り用封止部近傍において、折り畳まれた前記容器本体の外面同士を固着するように設けることができる。このように固着部を仕切り用封止部付近に作成することによって、薬液の充填や輸送の際に、仕切り用封止部が開通することを防止することが出来る。
【００１２】
あるいは、折り畳まれた容器本体の周縁部の少なくとも一部同士を固着するように設けることもできる。容器本体の周縁に設ける場合には、例えば、仕切り用封止部の両端部に接続された容器本体の両側縁部の少なくとも一部に設けることができる。このようにすると、仕切り用封止部を挟む容器本体の両端部には固着部分が形成されないため、この部分において容器本体を把持することができる。その結果、容器本体を広げるときに、力を作用させやすくなる。
【００１３】
上記複室容器において、固着部により保持された折り畳み状態の解除に要する力は、例えば、３０〜１２０Ｎとすることができる。これは、３０Ｎより小さいと、容器本体を広げる際に、勢いがつかず、仕切り用封止部を開封し難いためであり、１２０Ｎより大きいと、固着部を取り外すことができなくなるからである。
【００１４】
また、本発明に係る医療用複室容器の使用方法は、薬剤が収納された複数の収納室、及び前記各収納室間を開封可能に仕切る直線状の仕切り用封止部を備えた容器本体と、前記容器本体に取り付けられ前記収納室から薬剤を排出する開口を有する薬剤排出部とを備えている医療用複室容器を作製する工程と、前記容器本体を前記仕切り用封止部を折り目として折り畳み、折り畳み状態を解除可能に保持する固着部を前記容器本体に作製する工程と、前記固着部による前記折り畳み状態を解除すると同時もしくはその直後に前記仕切り用封止部を剥離させる工程と、を備えている。
【発明の効果】
【００１５】
本発明に係る医療用複室容器及びその使用方法によれば、混合前の薬剤が排出されるのを防止することができるとともに、使用に際しての作業を簡素化することができる。
【図面の簡単な説明】
【００１６】
【図１】本発明の一実施形態に係る医療用複室容器の斜視図である。
【図２】図１の医療用複室容器を展開した状態を示す平面図である。
【図３】容器本体を広げている状態を示す斜視図である。
【図４】容器本体を広げる過程の概略を示した断面図である。
【図５】図１の複室容器の他の例を示す側面図である。
【図６】図５の複室容器の製造工程の一部を示す図である。
【発明を実施するための形態】
【００１７】
以下、本発明に係る医療用複室容器の一実施形態について図面を参照しつつ説明する。図１は本実施形態に係る医療用複室容器の斜視図、図２は図１の医療用複室容器を展開した状態を示す平面図である。
【００１８】
本実施形態に係る医療用複室容器は、図１に示すように、初期状態では、２つ折りに折り畳んでいるのであるが、使用に際しては、図２に示すように、広げた態様とし、その後、薬剤を排出する。まず、図２に基づいてこの医療用複室容器の概要について説明する。この医療用複室容器は、矩形状の２枚のフィルムの周縁部１０を熱融着して扁平の袋状に形成された容器本体１を備えており、この容器本体１の一端部に、薬剤を外部に排出する薬剤排出部２が接続されている。薬剤排出部２は、円筒状に形成され、薬剤が通過する通路を有している。そして、通路は、ゴム栓（図示省略）によって封止されている。
【００１９】
容器本体１は、長手方向（図２の上下方向）に並べて配置され薬剤が封入される第１収納室３及び第２収納室４を有している。そして、容器本体１の両側縁１１，１２を結ぶ直線状の仕切り用封止部５によって、２つの収納室３，４が仕切られている。また、上記した薬剤排出部２は容器本体１における第２収納室４側の端部に接続されており、第２収納室４から薬剤排出部２を介して薬剤が排出される。一方、容器本体１において薬剤排出部２と反対側の端部には、容器を吊り掛けるための吊掛孔１３が形成されている。
【００２０】
容器本体１を構成するフィルムの材質としては、ポリエチレン、ポリプロピレン、ポリスチレン等の熱可塑性樹脂等、種々の樹脂材料を採用することができる。但し、後述するように仕切り用封止部５は容器本体１の内壁面同士を融着することから、容器本体１のフィルムは互いに相溶性が乏しく融点の異なる樹脂を混合した混合樹脂で形成することが好ましい。このようにすると、融着強度の制御が容易になるという利点がある。そのような樹脂の組み合わせとしては、例えばスチレン系樹脂、メタクリル酸エステル系樹脂、環状オレフィン樹脂、ポリ４−メチルペンテン、ポリエステル、ポリアミド、又はポリプロピレンから選ばれる樹脂と、ポリエチレンとの混合樹脂を例示することができる。そのうち、ポリエチレンとポリプロピレンとの混合樹脂は、医療用として安全性が確認されていること、及び製造上の取り扱いが確立されていることから特に好ましい。
【００２１】
また、容器本体１を形成するフィルムは、上述した樹脂のみからなる単層のフィルムの他、多層構造のフィルムを使用することができる。この場合、容器本体１の最内層を構成する樹脂層が上記のような樹脂から形成されていればよい。
【００２２】
仕切り用封止部５によって仕切られた各収納室３，４には、予め混合或いは溶解しておくとメイラード反応等の経時変化を起こすため隔離する必要がある各種薬剤がそれぞれ封入されている。例えば、一方の収納室にアミノ酸を含有する溶液、他方の収納室にブドウ糖を含有する溶液を収納することができる。また、必要に応じていずれか一方の収納室に電解質等を封入することもできる。さらに、液剤だけでなく、いずれか一方の収納室に固形または粉末薬剤を収納することもできる。
【００２３】
上記のように構成された医療用複室容器は、図１に示すように、仕切り用封止部５に沿って２つ折りにされる。そして、この状態で向き合う容器本体１の両側縁部１１，１２同士を固着し、２つ折りの状態が保持されるようにしている。図１の例では、容器本体１の各側縁部１１，１２における２箇所を熱融着（固着部）１１１，１２１により固着している。このとき、容器本体側縁部１１，１２の熱融着箇所１１１，１２１は、熱融着を容易にするため、幅を広くしている。また、この熱融着１１１，１２１は、使用に際しては、容器本体１を引っ張って広げることで、取り外される。そのため、熱融着の強度は適切な範囲にすることが好ましく、例えば、熱融着部分を取り外すのに要する力を３０〜１２０Ｎとすることが好ましく、４０〜１００Ｎとすることがさらに好ましい。この力の測定は、引張試験機を用いて測定した。具体的には、容器本体１の両端部をエアチャックで挟んだ後、容器本体１を水平方向（図４（ｂ）の矢印の向き）に広げた際に、熱融着箇所１１１，１２１が取り外されるために有する力を測定したものである。
【００２４】
また、仕切り用封止部５は、上述したように、容器本体１の内壁面同士を融着しているが、これを開通するのに必要な強度は、２〜１０Ｎとすることが出来る。この力の測定は、熱融着箇所１１１，１２１と同様に引張試験機を用いて測定した。具体的には、仕切り用封止部５を左右幅１５ｍｍ、上下幅に１０ｍｍで切り取り、引張試験機で２００ｍｍ/ｍｉｎの力で引っ張り、仕切り用封止部５が開通した際の強度を示す。
【００２５】
次に、上記のように構成された医療用複室容器の使用方法について図３及び図４を参照しつつ説明する。図３は容器本体を広げている動作を示す斜視図、図４は容器本体を広げる過程の概略を示した断面図である。ここでは、患者に対してこの医療用複室容器内の薬剤を投与する方法について説明する。まず、図１に示す２つ折りの状態から、容器本体１の長手方向の両端部、つまり薬剤排出部２が設けられている端部と、吊掛孔１３が設けられている端部を手で把持する。そして、図３に示すように、熱融着箇所１１１，１２１が取り外されるように、容器本体１の両端部を引っ張って広げる。この過程では、図４（ａ）及び図４（ｂ）に示すように、熱融着を取り外す勢いにより、容器本体１が広がっていき、さらに、これによって収納室３，４内の薬剤は、容器本体１を内側から押圧する。その結果、容器本体１の対向する内壁面が離間する方向に力が作用するため、仕切り用封止部５が開封する。こうして、図４（ｃ）に示すように、容器本体１内の薬剤が、混合される。そして、容器をスタンドなどに吊り掛けた後、導管が接続された刺栓針（図示省略）を薬剤排出部２のゴム栓に刺入すると、混合された薬剤が、導管を介して患者に投与される。
【００２６】
以上のように、本実施形態によれば、仕切り用封止部５を折り目として容器本体１を二つ折りにして、容器本体１の対向する側縁部１１，１２同士を取り外し可能に熱融着している。そのため、次の利点がある。すなわち、使用前に容器本体１は折り畳まれているため、医療従事者は、この状態で薬剤排出部２を開封することはない。したがって、混合前の薬剤が排出されるのを防止することができる。そして、折り畳まれた容器本体１を広げると、上記のように、仕切り用封止部５が開封するため、薬剤を混合することができる。すなわち、熱融着箇所が取り外されると同時もしくはその直後に仕切り用封止部５が開封される。この動作において、医療従事者は、熱融着箇所１１１，１２１を取り外すために、勢いをつけて容器本体１を引っ張るため、その反動で容器本体１は内部から薬剤によって押圧される。その結果、上記のように仕切り用封止部５は開封する。したがって、薬剤排出部２を開封するまでには、１つの動作、つまり容器本体１を広げるという動作のみ行えばよいので、作業を簡素化することができる。
【００２７】
さらに、この医療用複室容器は、仕切り用封止部５を折り目にして二つ折りにされているため、この状態で収納室３，４が押圧されても、仕切り用封止部５に力が作用しにくい。したがって、輸送中の容器に不意に外力が作用した場合であっても、仕切り用封止部５が開封するのを防止することができる。
【００２８】
以上、本発明の一実施形態について説明したが、本発明はこれに限定されるものではなく、その趣旨を逸脱しない限りにおいて種々の変更が可能である。例えば、上記実施形態では、熱融着箇所１１１，１２１を各側縁部１１，１２で２つずつ設けているが、熱融着箇所の数は、特には限定されない。また、側縁部１１，１２ではなく、容器本体１において薬剤排出部２及び吊掛孔１３が設けられた端部同士を熱融着によって固定することもできる。
【００２９】
また、上記実施形態では、熱融着箇所を容器本体１の周縁部に設けているが、種々の位置に形成可能である。例えば、図５に示すように、仕切り用封止部５の近傍に設けることもできる。同図に示すように、この例では、仕切り用封止部５と連続するように、熱融着箇所７を形成し、容器本体１の折り畳み状態を保持している。このような熱融着箇所７を形成するには、例えば、次のような方法がある。まず、図６（ａ）に示すように、容器本体１を構成する２枚のフィル１ａ，１ｂを重ね、金型８の間に配置する。この金型８は、雄型８１と雌型８２とで構成され、上側に配置された雄型８１は断面三角形状の凸部８１１を備えている。一方、雌型８２は、フィルム１ａ，１ｂの下側に配置され、雄型の凸部８１１が嵌る断面三角形状の凹部８２１を有している。そして、図６（ｂ）に示すように、加熱された雄型８１と雌型８２とでフィルム１ａ，１ｂを所定時間挟む。これにより、両フィルム１ａ，１ｂが雄型８１と雌型８２とで挟まれた箇所において熱融着される。そして、所定時間経過後、雄型８１及び雌型８２を互いに離間させるとともに、両フィルム１ａ，１ｂを金型８を中心に上側に折り曲げる。これにより、図６（ｃ）に示すように、フィルム１ｂの上面において、雄型８１の凸部８１１の両側面によって加熱された部分同士が接着され、熱融着箇所７が形成される。こうして、容器本体１は、折り畳まれた状態が保持される。
【００３０】
なお、上記のように、仕切り用封止部５付近に熱融着箇所７を作成する場合には、仕切り用封止部５の開封に必要な力が、熱融着箇所７に開封を取り外す力より小さくすることが好ましい。こうすることによって、仕切り用封止部５の開通に必要な力が少なくなり熱融着箇所７を取りはずした際に仕切り用封止部５が開通しやすくなる。この場合、仕切り用封止部５の開封に必要な力は１〜５Ｎ、熱融着箇所７の取り外しに必要な力を２〜１０Ｎとすることが好ましい。また、この場合、仕切り用封止部５の縦幅を２〜６ｍｍ、熱融着箇所７の縦幅を３〜１２ｍｍとすることが好ましい。さらに、この場合の仕切り用封止部の幅は５０〜５００ｍｍとすることが好ましい。
【００３１】
また、本発明における複室容器では、必ずしもすべての収納室に液体の薬剤を充填する必要はない。また封入するのも液剤だけではなく、ガスなどの仕切り用封止部５に圧力が掛かるものであればよい。薬液の場合であれば、少なくとも５０ｍｌ以上が好ましい。また、収納室３，４の全満量の１/３以上が好ましい。
【００３２】
また、所定の強度で、容器本体１を折り畳んだ状態に保持できるのであれば、例えば、クリップなどの固定部材で容器本体周縁部のいずれかを固定することもできる。また、上記実施形態では、薬剤が収納される収納室の数を２つにした容器本体について説明したが、これに限定されるものではなく、複数の仕切り用封止部で仕切った３以上の収納室を設けることもできる。そして、少なくとも１つの仕切り用封止部を折り目として容器本体を折り畳むこともできる。また、薬剤排出部は、容器本体に複数設けることもでき、各収納室からそれぞれ薬剤を排出することもできる。
【実施例１】
【００３３】
以下、本発明の実施例について説明する。但し、本発明は、以下の実施例に限定されない。
【００３４】
まず、図２に示す複室容器を４体を作製した。４体各々の複室容器において、第１収納室３には３００ｍｌの薬液を、第２収納室４には７００ｍｌの薬液を封入した。容器本体１の大きさは、縦方向(図２の上下方向)において、容器本体１の上端と仕切り用封止部５との距離は２２０ｍｍ、容器本体１の下端から仕切り用封止部５までの距離は１７０ｍｍであった。また、容器本体１の横幅は、２０５ｍｍであった。
【００３５】
このような複室容器の容器本体１を仕切り用封止部５を折り目として折り畳み、図１に示すように、８箇所の熱融着箇所１１１，１２１を形成した。仕切り用封止部５から、近い方の熱融着箇所１１１，１２１までの距離は３０ｍｍ、遠い方の熱融着箇所１１１，１２１までの距離は１３０ｍｍとし、容器本体１を広げた際に熱融着箇所１１１，１２１を取り外すのに要する力を４体各々、３６Ｎ、１０Ｎ、５Ｎ、５Ｎとし、仕切り用封止部５の開封に要する力を４体各々、４．６Ｎ、１．５Ｎ、２．７Ｎ、１．４Ｎとした。
【００３６】
さらに、図５に示す複室容器も４体作製した。仕切り用封止部５付近に熱融着箇所７を設け、取り外し強度を４体全て８Ｎとした。また、これら複室容器において、仕切り用封止部５の剥離強度を、それぞれ４．６６０Ｎ、２．７２９Ｎ、１．５４７Ｎ、１．４７８Ｎとした。
【００３７】
上述した８体の複室容器を、引張試験機によって、２００ｍｍ/ｍｉｎで広げたところ、仕切り用封止部５が開通し、両収納室３、４の薬液が混合された。
【符号の説明】
【００３８】
１  容器本体
１１，１２  側縁部
２  薬剤排出部
３  第１収納室
４  第２収納室
５  仕切り用封止部
【図１】
0005633051.tif 000002
【図２】
0005633051.tif 000003
【図３】
0005633051.tif 000004
【図４】
0005633051.tif 000005
【図５】
0005633051.tif 000006
【図６】
0005633051.tif 000007